(57)【要約】【課題】コーナー部材が不要で部品点数が少なく、組み付けが簡単で、しかも展示物であるシート体を強く固定するパネル用枠体及びパネル体を提供すること。【解決手段】背パネル２１の縁部に取り付けられる前方開口の溝係止部１１を有する本体部材と、溝係止部１１を形成する上方板状部１１１の先端と薄肉のヒンジを介して接続される開閉フレーム部材と、を有し、開閉フレーム部材１２は、基端がヒンジ１３に接続するＩ字形状のカバーフレーム部１２１と、カバーフレーム部１２１のヒンジ側の基端から略直角に屈曲して延びる係止片１２２とを備え、係止片１２２が溝係止部１１の溝を形成する両壁を押し広げて嵌合する。【選択図】図７
2017026886.tif 000002
【特許請求の範囲】
【請求項１】
樹脂製のパネル用枠体であって、
前方開口又は上方開口の溝係止部を有する背パネルの縁部に取り付けられる本体部材と、
該溝係止部を形成する上方板状部又は後方板状部の先端と薄肉のヒンジを介して接続される開閉フレーム部材と、を有し、
該開閉フレーム部材は、基端が該ヒンジに接続するカバーフレーム部と、該カバーフレーム部のヒンジ側の基端から略直角に屈曲して延びる係止片とを備え、
該係止片が該溝係止部の溝を形成する両壁を押圧して嵌合することを特徴とするパネル用枠体。
【請求項２】
該係止片と該溝係止部が嵌合状態における該係止片の溝幅方向における長さ（Ｈ２）が、該係止片と該溝係止部が嵌合する前の状態における該溝係止部の溝幅（Ｈ１）と同じ又は（Ｈ１）より大であることを特徴とする請求項１記載のパネル用枠体。
【請求項３】
該係止片は、該カバーフレーム部のヒンジ側の基端から略直角に屈曲して延び、更にアール状に屈曲するＪ字側面視形状であることを特徴とする請求項１又は２に記載のパネル用枠体。
【請求項４】
横枠体又は縦枠体であることを特徴とする請求項１〜３のいずれか１項に記載のパネル用枠体。
【請求項５】
長手方向の両端は、正面視で４５度斜め内側に切り欠かれていることを特徴とする請求項１〜４のいずれか１項に記載のパネル用枠体。
【請求項６】
該板状本体部の裏面にフック部材が係合する係合レールを形成したことを特徴とする請求項１〜５のいずれか１項に記載のパネル用枠体。
【請求項７】
請求項１〜６のパネル用枠体を備えることを特徴とするパネル体。
【請求項８】
該パネル体が、展示パネル又はバイダーであることを特徴とする請求項７記載のパネル体。 
【発明の詳細な説明】
【技術分野】
【０００１】
本発明は、部品点数が少なく軽量で、展示物などのシート体を強く支持するパネル用枠体及びパネル体に関するものである。
【背景技術】
【０００２】
展示会場や店頭などにおいて、商品のイメージ写真や商品情報などをパネルにした展示用パネルがよく知られている。これらの展示パネルは、一対の縦枠部材と一対の横枠部材及び必要に応じてコーナー部材を使用し、商品情報などが印刷されたシート体を組み込んで額縁状にしたものである。
【０００３】
例えば、特開２０１１−２２１０４９号公報には、矩形の枠体内に展示シートを収容して展示可能な展示パネルであって、 前記枠体は、一対の縦枠および一対の横枠が前記枠体の四隅部においてコーナー部材により連結されてなるとともに、前記縦枠および横枠は、共に同一外径の円柱状部と、その円柱状部に一体に形成され前記枠体の内周側において前記円柱状部の外径よりも狭い対向間隔で対向しつつ軸方向に延びて前記展示シートを支持パネル及び保護シートによって挟んだ状態で保持する一対の保持片部とを備え、前記コーナー部材は、これに隣接する前記縦枠及び横枠のうち少なくとも一方に対して着脱可能とされている展示パネルが開示されている。
【０００４】
また、特開２００６−１９５０２６号公報には、パネル枠体の長手方向に一列に、又は、少なくとも一辺の枠部材の側面を露出させた状態で複数の額縁を並設固定すると共に、額縁は４本の枠部材と隅連結部材とからなり、枠部材は長手方向軸線のまわりに回動するようにされ中仕切によって第１の空間と第２の空間とが形成され、中仕切が回動係止部を有すると共に、隅連結部材に回動係止部に係止される回動停止部が夫々設けられた展示用パネルが開示されている。この展示用パネルによれば、展示物を枠部材を回動させてパネル枠体の表面と平行する方向から挿脱可能である。
【先行技術文献】
【特許文献】
【０００５】
【特許文献１】特開２０１１−２２１０４９号公報
【特許文献１】特開２００６−１９５０２６号公報
【発明の概要】
【発明が解決しようとする課題】
【０００６】
しかしながら、これら従来の展示用パネルは、一対の縦枠部材と一対の横枠部材と４つのコーナー部材からなる。このため、部品点数が多くコストアップとなり、在庫管理が煩雑である。また、組み付けが複雑であり、枠部材を金属製とすると、重量がアップし、軽量ボード壁への固定や天井からの吊り下げが不安定である。また、展示物であるシート体の固定が甘く、強い固定は望めない。また、従来の展示パネルを構成する枠体は、それ以外の用途はなく、ましてやバインダーとして使用することはできないものであった。
【０００７】
従って、本発明の目的は、コーナー部材が不要で部品点数が少なく、組み付けが簡単で、しかも展示物であるシート体を強く固定するパネル用枠体及びパネル体を提供することにある。
【課題を解決するための手段】
【０００８】
かかる実情において、本発明者は、鋭意検討を行った結果、全体を樹脂製とし、特定形状の溝係止部に特定形状の開閉フレーム部材の係止片を嵌合するようにすれば、溝係止部を形成する両壁の復元力により、係止片の先端を支点に開閉フレーム部材がシート状展示物を挟持する方向に押圧され、強い支持力が得られることを見出し、本発明を完成するに至った。
【０００９】
すなわち、本発明は、樹脂製のパネル用枠体であって、前方開口又は上方開口の溝係止部を有する背パネルの縁部に取り付けられる本体部材と、該溝係止部を形成する上方板状部又は後方板状部の先端と薄肉のヒンジを介して接続される開閉フレーム部材と、を有し、該開閉フレーム部材は、基端が該ヒンジに接続するカバーフレーム部と、該カバーフレーム部のヒンジ側の基端から略直角に屈曲して延びる係止片とを備え、該係止片が該溝係止部の溝を形成する両壁を押圧して嵌合することを特徴とするパネル用枠体を提供するものである。
【００１０】
また、本発明は、該係止片と該溝係止部が嵌合状態における該係止片の溝幅方向における長さ（Ｈ２）が、該係止片と該溝係止部が嵌合する前の状態における溝係止部の溝幅（Ｈ１）と同じ又は（Ｈ１）より大であることを特徴とする前記パネル用枠体を提供するものである。
【００１１】
また、本発明は、該係止片は、該カバーフレームのヒンジ側の基端から略直角に屈曲して延び、更にアール状に屈曲するＪ字側面視形状であることを特徴とする前記パネル用枠体を提供するものである。
【００１２】
また、本発明は、横枠体又は縦枠体であることを特徴とする前記パネル用枠体を提供するものである。
【００１３】
また、本発明は、長手方向の両端は、正面視で４５度斜め内側に切り欠かれていることを特徴とする前記パネル用枠体を提供するものである。
【００１４】
また、本発明は、板状本体部の裏面にフック部材が係合する係合レールを形成したことを特徴とする前記パネル用枠体を提供するものである。
【００１５】
また、本発明は、前記パネル用枠体を備えることを特徴とするパネル体を提供するものである。また、本発明は、該パネル体が、展示パネル又はバイダーであることを特徴とする前記パネル体を提供するものである。
【発明の効果】
【００１６】
本発明のパネル用枠体によれば、係止片が溝係止部の溝を形成する両壁を押し広げて嵌合するため、溝係止部を形成する両壁の復元力により、係止片の先端を支点に開閉フレーム部材に対して展示物などのシート体を挟持する方向に押圧するため、強い支持力が得られる。また、本発明のパネル体によれば、一対の横枠体と一対の縦枠体と板状の背パネル（背板）のみでよく、また、本体部材と開閉フレーム部材の接続を軟質樹脂としたため、コーナー部材は不要であり、部品点数を少なくできる。また、組み付けも簡単で軽量である。また、本発明のパネル用枠体を１本使用し、シート体を紙体とすれば、バインダーとして使用できる。
【図面の簡単な説明】
【００１７】
【図１】本発明の実施の形態における展示パネルの斜視図である。
【図２】図１の展示パネルの分解斜視図である。
【図３】本発明の第１の実施の形態におけるパネル用枠体の側面図であり、開閉フレーム部材が開の状態の図である。
【図４】図３の次のステップであり、展示物を装着する開始状態の図である。
【図５】図４の次のステップの状態を示す図である。
【図６】図５の次のステップの状態を示す図である。
【図７】図６の次のステップの状態を示す図であり、開閉フレーム部材が閉の状態の図である。
【図８】使用状態における展示パネルから展示物を取り外す方法を説明する図である。
【図９】本発明の第２の実施の形態におけるパネル用枠体の側面図であり、開閉フレーム部材が閉の状態の図である。
【図１０】図９のパネル用枠体であって、開閉フレーム部材が開の状態の図である。
【発明を実施するための形態】
【００１８】
次に、本発明の第１の実施の形態におけるパネル用枠体及び展示パネルを図１〜図８を参照して説明する。本発明の展示パネル２０は、背パネル２１と、一対の横枠体１０ａ、１０ａと、一対の縦枠体１０ｂ、１０ｂとからなる。なお、シート状の展示物は、背パネル２１の表面に取り付けられる。コーナー部材は不要である。図２中、符号３０は背パネルの裏面に装着されるフック部材である。本発明に係るパネル用枠体の形状は、展示パネルが横置きにおける一対の横枠体の中の上方の横枠体であって、且つ右側面から見たものである。従って、本明細書中、「上方」、「下方」は展示パネルが鉛直姿勢（横置き又は縦置き）における方向であり、「前方」は、パネルを見る顧客側を言い正面であり、「後方」は、正面の反対側を言う。本発明に係るパネル用枠体において、上方の横枠体は下方の横枠体と同じであり、左側の縦枠体は右側の縦枠体と同じであり、設置する向きが異なるだけである。また、一対の縦枠体は、一対の横枠体に対して長さ寸法が同じ又は異なるだけである。従って、パネル用枠体の構造及びその作用は、ひとつのパネル用枠体について説明し、他のパネル用枠体の説明は同じになるため省略する。
【００１９】
パネル用枠体１０は、樹脂製であって展示物を固定するものであり、背パネル２１の縁部に取り付けられる本体部材と、本体部材とヒンジで接続される開閉フレーム部材とからなる。従って、開閉フレーム部材は、本体部材に対してヒンジの長手方向を回転軸として一定の範囲内において回転自在である。本体部材は、縦方向に所定の長さを有し長手方向に所定の長さで延びる板状本体部１４と、板状本体部１４の上端位置する前方開口の溝係止部１１とを有する。板状本体部１４の縦方向長さは、厚み３〜８ｍｍ程度の背パネルに嵌合した際、嵌合が十分に採れ、簡単に外れない程度の寸法でよく、展示物の大きさにより左右され一概に言えないものの、２０〜５０ｍｍ程度でよい。板状本体部１４の長手方向の長さは、展示パネルの横長さと同じである。
【００２０】
板状本体部１４は、本例では、板状本体部１４の上端から前方へ延びる第１天板部１１２と、第１天板部１１２の先端から屈曲して下方へ延びる前方板１１３とからなる背パネル２１が嵌る下開口の溝１５１を形成する背パネル係止部１５を有する。背パネル係止部１５の溝幅は、背パネル２１の厚みと同じでよい。また、第１天板部１１２（溝係止部１１を形成する下方板状部）と前方板１１３の角部外側はアールとなっている。これにより、開閉フレーム部材１２を嵌め易くなる。
【００２１】
パネル用枠体１０において、溝係止部１１は、板状本体部１４の上端に位置する前方開口の溝であるが、本例では、背パネル係止部１５の後方端から上方に所定長さ延び次いで屈曲して前方へ延びる第２天板部１１１を有し、第２天板部１１１と第１天板部１１２間に位置する前開口の溝となっている。第１天板部１１２と第２天板部１１１が溝係止部１１を形成する両壁である。なお、図３〜図８に示すように、第２天板部１１１は、背パネル係止部１５の後方端から後方に僅かに延び次いで上方に所定長さ延び次いで屈曲して前方へ延びる形態も含まれる。また、図３及び図４に現れる第１天板部１１２と第２天板部１１１間の高さ寸法（Ｈ１）が、本発明の嵌合前における溝幅である。この溝幅は数ｍｍ程度でよい。また、前方開口の「前方」とは、正面以外に斜め前方も含まれる。
【００２２】
また、板状本体部１４の裏面にフック部材３０が係合する係合レール１９が形成されている。係合レール１９は公知の形状であり、両端に係合溝１９１、１９１を有するものであり、フック部材３０の左右両鍔が係合溝１９１、１９１に係合する。係合レール１９には多数、固定用の貫通孔が形成されており、所定の貫通孔に、フック部材の突起が嵌合してフック部材３０は固定される。
【００２３】
本体部材（Ａ１）及び開閉フレーム部材１２は、硬質樹脂製であり、例えば、アクリロニトリル・ブタジエン・スチレン（ＡＢＳ）樹脂、塩化ビニール、ポリアセタール及びナイロンなどが挙げられる。これにより、第１天板部１１２と第２天板部１１１で形成される側面視コ字形状の溝係止部１１は、溝深さ（図３中、左右方向）が深いと共に、樹脂製であるため、開閉フレーム部材１２が入り込む際、容易に溝開口が広がり、一方、開閉フレーム部材１２が入り込んで閉じると、復元力により溝開口を閉じる方向に付勢力が働く。
【００２４】
パネル用枠体１０において、開閉フレーム部材１２は、基端１２６がヒンジに接続するカバーフレーム部１２１と、カバーフレーム部１２１のヒンジ側の基端１２６から略直角に屈曲して延びる係止片１２２とを備える。カバーフレーム部は本例では、Ｉ字形状である。すなわち、Ｌ字形状の開閉フレーム部材１２の外角がヒンジ１３に接続している。係止片１２２は、本例では、カバーフレーム部１２１の閉状態における上端から後方に延び（符号１２３）次いで屈曲して斜め後下方に延びて（符号１２４）Ｊ字側面視形状となっている。係止片１２２の閉状態における鉛直方向長さ（図７中、符号Ｈ２）は、硬質樹脂であり、短く且つ厚みも１ｍｍ程度あるため、嵌合（閉）後も変形せず、嵌合前（開）と嵌合後（閉）共に、ほぼ同じ寸法である。ヒンジは軟質樹脂を使用することができる。
【００２５】
次に、パネル用枠体１０及び展示パネル２０の取り付け方法と展示物固定作用について、図３〜図８を参照して説明する。パネル用枠体１０の背パネル係止部１５に背パネル２１を装着する（図３）。これを他の３本のパネル用枠体１０についても同様に行う。これにより、背パネル２１の４辺にパネル用枠体１０が装着されたことになる。なお、パネル用枠体１０の左右両端は、正面視で４５度斜め内側に切り欠かれているため、背パネル２１の四隅も隙間なく、パネル用枠体１０で覆われる。次いで、開閉フレーム部材１２が開の状態で、シート状の展示物２２を背パネル２１上に充てがう。この際、展示物２２の端が溝係止部１１を形成する上部板状部（第２天板部１１１）近傍まで延ばしておく（図４参照）。これにより、展示物２２の端部が開閉フレーム部材１２を閉じることで、溝係止部１１内に入り込める。なお、図４に示すように、係止片１２２の長さ（図４に示す符号Ｈ３）は、溝係止部１１の溝幅Ｈ１より大である。これにより、係止片１２２は溝係止部１１を形成する両壁を押し広げ溝開口を大として嵌合することができる。
【００２６】
次いで、開閉フレーム部材１２を閉じる方向（図３〜図５の矢印方向）に回動させる。そして、開閉フレーム部材１２の係止片１２２の後ろ面が、溝係止部１１を形成する下方板状部（第１天板部１１２）の前方板１１３に当たる（図５）。この際、展示物２２の端部は、係止片１２２の後ろ面と前方板１１３に挟まれた状態である。次いで、更に開閉フレーム部材１２を閉じる方向に回動させる。係止片１２２の長さ（Ｈ３）は、溝係止部１１の溝幅Ｈ１より大であるため、溝係止部１１を形成する上方板状部（第２天板部１１１）は、上方に押され、溝係止部１１の開口は広がり、係止片１２２は溝係止部１１を形成する上下両壁を押し広げて嵌合することになる（図６）。次いで、開閉フレーム部材１２を閉じる方向に更に、回動させる。この際、係止片１２２は、溝係止部１１の溝内の溝深さ方向に、係止片１２２の長さが延びるように、嵌合する（図７）。すなわち、係止片１２２は溝係止部１１の溝を形成する両壁を押圧して嵌合している。
【００２７】
図７の状態において、開閉フレーム部材１２は閉の状態である。同様に、４つのパネル用枠体１０に対して組み付けを行い、展示パネル２０を完成させる。この際、係止片１２２の長さ方向に直交する方向（図７の係止片１２２の鉛直方向）の長さ寸法（Ｈ２）は、開閉フレーム部材１２が溝係止部１１に嵌合する前状態における溝係止部１１の溝幅（Ｈ１）より僅かに大であるため、溝係止部１１を形成する上方板状部（第２天板部）１１１を押し上げる。これにより、上方板状部（第２天板部）１１１は、その押し上げ力の反力である復元力（ｐ１）により、開閉フレーム部材１２の係止片１２２を挟みこむ。この際、係止片１２２の先端と溝係止部１１を構成する下方板状部（第１天板部）１１２の当接点１２５が支点となり、開閉フレーム部材１２は、反時計回り（図７中、符号ｐ２）に回転力を受け、開閉フレーム部材１２のＩ字形状のカバーフレーム部１２１は、展示物２２を強く押すことになる。これにより、展示物２２は、強く固定される。
【００２８】
次いで、展示パネル２０から展示物２２を取り外すには、図８に示すように、開閉フレーム部材１２を矢印方向（時計回り）に回転させる。この際、溝係止部１１の溝開口は押し広げられ、係止片１２２も時計方向に回転しながら、溝係止部１１から引き出される。更に、開閉フレーム部材１２を回動させれば、図４の状態となる。この状態で、展示物２２を取り除けばよい。
【００２９】
パネル用枠体１０によれば、係止片１２２が溝係止部１１の溝を形成する両壁を押し広げて嵌合するため、溝係止部１１を形成する両壁の復元力により、係止片１２２の先端を支点に開閉フレーム部材１２に対して展示物２２を挟持する方向に付勢力を与えるため、強い支持力が得られる。また、パネル体２０によれば、一対の横枠体１０ａ、１０ａと一対の縦枠体１０ｂ、１０ｂと背パネル（背板）２１のみでよく、コーナー部材は不要であり、部品点数を少なくできる。また、組み付けも簡単で軽量である。
【００３０】
次に、本発明の第２の実施の形態におけるパネル用枠体１０Ａについて、図９及び図１０を参照して説明する。図９及び図１０において、図１〜図８と同一構成要素には同一符号を付して、その説明を省略し、異なる点について説明する。すなわち、パネル用枠体１０Ａにおいて、パネル用枠体１０と異なる点は、溝係止部の形状及び開閉フレーム部材の形状である。
【００３１】
パネル用枠体１０の溝係止部１１が前方開口の溝であるのに対して、パネル用枠体１０Ａの溝係止部１１ａは、上方開口の溝である。すなわち、溝係止部１１ａは、板状本体部１４の上部後方に位置するものであり、板状本体部１４と、板状本体部１４の上部所定箇所から後方に延び屈曲して上方に延びる後方板１１１ａとで、上方開口の溝を形成している。なお、後方板１１１ａは屈曲して下方にも延びており、フック部材３０の係止溝を形成している。板状本体部１４は、上端から屈曲して背パネル２１の厚み分前方へ延びる第３天板部１４１を形成しており、この内側に背パネル２１が入り込む。後方板１１１ａの先端は、この第３天板部１４１より極僅かに上方となるようにする。
【００３２】
開閉フレーム部材１２ａは、基端１２６がヒンジ１３に接続するカバーフレーム部１２１ａと、カバーフレーム部１２１ａのヒンジ側の基端１２６から略直角に屈曲して延びる係止片１２２を有する。カバーフレーム部１２１ａは本例ではＬ字形状である。すなわち、Ｌ字形状のカバーフレーム部１２１ａと係止片１２２の接続部の外角でヒンジ１３と接続する。また、カバーフレーム部１２１ａのＬ字形状は、開閉フレーム部材１２ａが閉状態において、前方部材１２５が展示物２２に強く当接するような寸法とする。このような開閉フレーム部材１２ａは、図１０に示すように、開状態とする場合、図１０の矢印方向に回転させれば、係止片１２２が溝係止部１１ａから外れ、展示物２２を取り外すことができる。
【００３３】
パネル用枠体１０Ａにおける展示物２２の固定方法及びその作用は、パネル用枠体１０の場合と同様である。背パネル２１の４辺の端面が、パネル用枠体１０Ａの第３天板部１４１に当接するよう装着する。その際、両面テープで両者を貼付するのがよい。次いで、図１０のように、開閉フレーム部材１２ａが開の状態で、シート状の展示物２２を背パネル２１上に充てがう。この際、展示物２２の端が第３天板部１４１近傍まで延ばしておく（図１０参照）。これにより、展示物２２の端部が開閉フレーム部材１２ａを閉じることで、溝係止部１１ａ内に入り込む。
【００３４】
次いで、開閉フレーム部材１２ａを閉じる方向に回動させる。そして、開閉フレーム部材１２ａの係止片１２２の後ろ面が、溝係止部１１ａを形成する板状本体部１４の上方の外角に当たる。次いで、更に開閉フレーム部材１２ａを閉じる方向に回動させる。係止片１２２の長さ（Ｈ３）は、溝係止部１１ａの溝幅Ｈ１より大であるため、溝係止部１１ａを形成する後方板１１１ａは、後方に押され、溝係止部１１ａの溝開口は広がり、係止片１２２は溝係止部１１ａの溝を形成する両壁を押し広げて嵌合することになる。次いで、開閉フレーム部材１２ａを閉じる方向に更に、回動させる。この際、係止片１２２は、溝係止部１１ａの溝内の溝深さ方向に、係止片１２２の長さが延びるように、嵌合する（図９）。すなわち、係止片１２２は溝係止部１１ａの溝を形成する両壁を押圧して嵌合している。
【００３５】
図９の状態において、開閉フレーム部材１２ａは閉の状態である。同様に、４つのパネル用枠体１０に対して組み付けを行い、展示パネル２０Ａを完成させる。この際、係止片１２２の長さ方向に直交する方向（図９の係止片１２２の水平方向）の長さ寸法（Ｈ２）は、開閉フレーム部材１２ａが溝係止部１１ａに嵌合する前状態における溝係止部１１ａの溝幅（Ｈ１）より僅かに大であるため、溝係止部１１ａを形成する後方板１１１ａを外側へ押し広げることになる。これにより、後方板１１１ａは、その押力の反力である復元力により、開閉フレーム部材１２ａの係止片１２２を挟みこむ。この際、係止片１２２の先端１２４と溝係止部１１ａを構成する板状本体部１４の当接点が支点となり、開閉フレーム部材１２ａは、反時計回りに回転力を受け、開閉フレーム部材１２ａのＬ字形状のカバーフレーム部１２１ａは、展示物２２を強く押すことになる。これにより、展示物２２は、強く固定される。
【００３６】
次いで、展示パネル２０Ａから展示物２２を取り外すには、図１０に示すように、開閉フレーム部材１２ａを矢印方向（時計回り）に回転させる。この際、溝係止部１１ａの溝開口は押し広げられ、係止片１２２も時計方向に回転しながら、溝係止部１１ａから引き出される。更に、開閉フレーム部材１２ａを回動させれば、図１０の状態となる。この状態で、展示物２２を取り除けばよい。パネル用枠体１０Ａによれば、パネル用枠体１０と同様の作用効果を奏する。
【００３７】
本発明のパネル用枠体は、展示パネル以外に、バインダーとしても使用できる。すなわち、１本又は２本のパネル用枠体を使用し、背パネルを強度の高い厚紙とし、シート体を紙体とすれば、メモ書きなどの用途であるバインダーとして使用できる。
【産業上の利用可能性】
【００３８】
本発明のパネル用枠体は、展示物を強く固定できるため、展示物に緩みや弛みがなく、長期間に亘り意匠性に優れた表示ができる。本発明のパネル用枠体は、バインダーとしても使用できる。また、本発明の展示用パネルは、コーナー部材は不要であり、部品点数を少なくでき、組み付けも簡単で軽量である。
【符号の説明】
【００３９】
１０ａ、１０ａ  一対の横枠体
１０ｂ、１０ｂ  一対の縦枠体
１０            パネル用枠体
１１            溝係止部
１２            開閉フレーム部材
１３            ヒンジ
１４            板状本体部
１５            背パネル係止部
２０            展示パネル
２１            背パネル
１１２            第１天板部
１１１            第２天板部
１１３            前方板
１２６            基端
１２１            カバーフレーム部
【図１】
2017026886.tif 000003
【図２】
2017026886.tif 000004
【図３】
2017026886.tif 000005
【図４】
2017026886.tif 000006
【図５】
2017026886.tif 000007
【図６】
2017026886.tif 000008
【図７】
2017026886.tif 000009
【図８】
2017026886.tif 000010
【図９】
2017026886.tif 000011
【図１０】
2017026886.tif 000012
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
樹脂製のパネル用枠体であって、
前方開口又は上方開口の溝係止部を有する本体部材と、
該溝係止部を形成する上方板状部又は後方板状部の先端と薄肉のヒンジを介して接続される開閉フレーム部材と、を有し、
該開閉フレーム部材は、基端が該ヒンジに接続するカバーフレーム部と、該カバーフレーム部のヒンジ側の基端から略直角に屈曲して延びる係止片とを備え、
該本体部材は、背パネルの縁部に取り付けられ、該係止片が該溝係止部の溝を形成する両壁を押圧して嵌合し、該カバーフレーム部が、背パネル面を押すことを特徴とするパネル用枠体。
【請求項２】
該係止片と該溝係止部が嵌合状態における該係止片の溝幅方向における長さ（Ｈ２）が、該係止片と該溝係止部が嵌合する前の状態における該溝係止部の溝幅（Ｈ１）と同じ又は（Ｈ１）より大であることを特徴とする請求項１記載のパネル用枠体。
【請求項３】
該係止片は、該カバーフレーム部のヒンジ側の基端から略直角に屈曲して延び、更にアール状に屈曲するＪ字側面視形状であることを特徴とする請求項１又は２に記載のパネル用枠体。
【請求項４】
横枠体又は縦枠体であることを特徴とする請求項１〜３のいずれか１項に記載のパネル用枠体。
【請求項５】
長手方向の両端は、正面視で４５度斜め内側に切り欠かれていることを特徴とする請求項１〜４のいずれか１項に記載のパネル用枠体。
【請求項６】
該本体部材は、縦方向に所定の長さを有し長手方向に所定の長さで延びる板状本体部と、該板状本体部の上端に位置する溝係止部を有し、該板状本体部の裏面にフック部材が係合する係合レールを形成したものであることを特徴とする請求項１〜５のいずれか１項に記載のパネル用枠体。
【請求項７】
請求項１〜６のパネル用枠体を備えることを特徴とするパネル体。
【請求項８】
該パネル体が、展示パネル又はバイダーであることを特徴とする請求項７記載のパネル体。